(57)【要約】【課題】  接点位置を押圧操作したことを容易に認識でき、操作性を従来よりも良好にできる操作装置を提供することを目的とする。【解決手段】  操作面１３には弾性部材１１上に、弾性部材１１よりも低い摩擦係数を有する低摩擦層１７が重ねて形成され、接点２０Ａ１〜２０Ａ６に対応する部分の低摩擦層１７は除去されて、凹溝部１３Ａ１〜１３Ａ６が形成されている。凹溝部１３Ａ１〜１３Ａ６からは弾性部材１１の表面が露出し、他の部分１３Ｂよりも摩擦係数が高くなっている。このため、指Ｆが凹溝部１３Ａ１〜１３Ａ６上を移動している場合には、操作者は所定の摩擦抵抗を感じ、接点２０Ａ１〜２０Ａ６を確実に押圧操作していることを、指Ｆを通じて認識することができる。【選択図】図３
2006092814.tif 000002
【特許請求の範囲】
【請求項１】
表面側に操作面を有する軟質な弾性体と、前記弾性体の裏側に前記操作面と対向して設けられた複数個の接点とを有し、
操作体を前記操作面上で押圧しながら摺動させると、前記弾性体が連続的に局部変形し、前記接点が順次、入力状態になる操作装置において、
前記操作面のうち、少なくとも一部の前記接点に対応する部分の摩擦係数が、他の部分の摩擦係数と異なっていることを特徴とする操作装置。
【請求項２】
前記操作面のうち、少なくとも一部の前記接点に対応する部分の摩擦係数が、前記他の部分の摩擦係数よりも大きい請求項１記載の操作装置。
【請求項３】
前記操作面のうち、少なくとも一部の前記接点に対応する部分と、前記他の部分とで摩擦係数の異なる材質が使用される請求項１または２に記載の操作装置。
【請求項４】
前記弾性体の表面には前記弾性体よりも低い摩擦係数の低摩擦層が設けられ、前記操作面のうち、少なくとも一部の前記接点に対応する部分には前記低摩擦層が形成されず、前記弾性体の表面が露出している請求項３記載の操作装置。
【請求項５】
前記弾性体の表面には前記弾性体よりも低い摩擦係数の低摩擦層が全面に形成され、前記操作面のうち、少なくとも一部の前記接点に対応する部分には前記低摩擦層よりも高い摩擦係数の高摩擦層が形成されている請求項３記載の操作装置。
【請求項６】
前記接点が、マトリックス状に点在している請求項１ないし５のいずれかに記載の操作装置。
【発明の詳細な説明】
【技術分野】
【０００１】
本発明は、小型の電子機器に搭載される押圧式の操作装置に係り、特に、接点位置を押圧操作したことを容易に認識できる操作装置に関する。
【背景技術】
【０００２】
図６は従来の操作装置を示す切断断面図である。
操作者が操作面１０１の表面に指Ｆを載せ、接点１０２Ａの真上を図示Ｚ２方向へ押し下げると、弾性部材１０３のうち押し下げられた部分のみが局部的に下方へ撓み変形させられる。そして、弾性部材１０３の変形に伴って補強部材１０４も下方へ撓み変形させられて、突起１０５ａのみが押し下げられる。突起１０５ａの下方への移動力によって、上側シート１０６が下方へ撓み変形させられて、上側シート１０６の上側導電部１０６ａと下側シート１０７の下側導電部１０７ａとが互いに接触して導通する。これにより、接点１０２Ａが押圧操作されたことが検知される。
【０００３】
そして、例えば指Ｆを図示Ｘ１方向に押圧しながら摺動させると、上側シート１０６の上側導電部１０６ｂと下側シート１０７の下側導電部１０７ｂの間（接点１０２Ｂ）が接触させられ、続いて上側導電部１０６ｃと下側導電部１０７ｃの間（接点１０２Ｃ）が接触させられ、各接点が順次、入力状態になる。
【０００４】
下記特許文献１には、ＯＨＰ投影型電卓が開示されている。
図７は前記ＯＨＰ投影型電卓のキーシート部分を示す切断断面図である。
【０００５】
導電体２０１に対向するキーシート２０２の表面には、一定の範囲にわたって表面加工処理２０３が施されている。
【０００６】
このようなキー構造では、キーシート２０２の表面加工処理２０３を施している部分を押し下げると、導電体２０１が、隣接する２つの透明電極２０４，２０４をつないで電気信号が流れ、そのキーの入力が行われる。
【特許文献１】特開２００１−１７５３９３号公報
【発明の開示】
【発明が解決しようとする課題】
【０００７】
ところで従来の操作装置１００では、操作面１０１が、摩擦係数の低い材料で、平面的に形成されているのが一般的であった。これは、指Ｆを操作面１０１上で摺動させるときに、指Ｆを滑らかに動かすことができるようにして、操作性を向上させるためであった。
【０００８】
しかし、各前記接点を順次押圧操作させるために、指Ｆを操作面１０１の表面で摺動させたときに、一律な摩擦係数の操作面では、各前記接点が順次押圧操作されたことを指Ｆの感触等によって認識することができない。
【０００９】
操作装置１００は、例えば携帯電話等の小型の電子機器に使用されるものであり、また、操作面１０１上には前記接点の位置を目視できるような視覚表示がなされていない。このため、指Ｆの感触だけで、前記接点の位置を認識することができれば、より操作性を向上させることが可能になる。
【００１０】
また、前記特許文献１に記載の発明は、キーシート２０２上にある符号表示部を目視しながら押圧操作するもので、キーシート２０２の表面加工処理２０３は、符号表示部の符号を明確にすることを目的、及び作用効果としている。したがって、図６に示す操作装置１００のように、指Ｆを操作面１０１上で摺動させる操作はせず、指Ｆの感触によって前記符号表示部の部分を認識できるようにすることはしていない。
【００１１】
そこで本発明は上記従来の課題を解決するものであり、接点位置を押圧操作したことを容易に認識でき、操作性を従来よりも良好にできる操作装置を提供することを目的としている。
【課題を解決するための手段】
【００１２】
本発明は、表面側に操作面を有する軟質な弾性体と、前記弾性体の裏側に前記操作面と対向して設けられた複数個の接点とを有し、
操作体を前記操作面上で押圧しながら摺動させると、前記弾性体が連続的に局部変形し、前記接点が順次、入力状態になる操作装置において、
前記操作面のうち、少なくとも一部の前記接点に対応する部分の摩擦係数が、他の部分の摩擦係数と異なっていることを特徴とするものである。
【００１３】
上記のように、操作面のうち、少なくとも一部の接点に対応する部分の摩擦係数が、他の部分の摩擦係数と異なっているので、操作体を操作面上で摺動させたときに、接点に対応する部分と、接点に対応する部分以外の部分とを、操作体に与えられる感触で認識することができ、従来に比べて操作性の高い操作装置を提供することができる。
【００１４】
特に本発明では、前記操作面のうち、少なくとも一部の前記接点に対応する部分の摩擦係数が、前記他の部分の摩擦係数よりも大きいことが好ましい。
【００１５】
操作面のうち、接点に対応する部分以外の箇所の摩擦係数を、接点に対応する部分の摩擦係数よりも小さくしておくことで、操作体を操作面上で滑らかに摺動させることができるとともに、摩擦係数の大きい接点に対応する部分を操作体に与えられる感触で認識しやすい。
【００１６】
また本発明では、前記操作面のうち、少なくとも一部の前記接点に対応する部分と、前記他の部分とで摩擦係数の異なる材質が使用されることが好ましい。
【００１７】
このようにすると、簡単な構造で摩擦係数の異なる部分を有する操作面を形成できる。
また本発明では、前記弾性体の表面には前記弾性体よりも低い摩擦係数の低摩擦層が設けられ、前記操作面のうち、少なくとも一部の前記接点に対応する部分には前記低摩擦層が形成されず、前記弾性体の表面が露出していることが好ましい。
【００１８】
あるいは、前記弾性体の表面には前記弾性体よりも低い摩擦係数の低摩擦層が全面に形成され、前記操作面のうち、少なくとも一部の前記接点に対応する部分には前記低摩擦層よりも高い摩擦係数の高摩擦層が形成されていることが好ましい。
【００１９】
これにより、簡単な構造にて、接点に対応する部分の摩擦係数を高くでき、接点に対応する部分以外の箇所の摩擦係数を低くすることができる。
【００２０】
また本発明では、例えば、前記接点が、マトリックス状に点在している。このような場合には、操作体が本来の押圧したい接点の位置に対応する部分にない場合でも、操作体を、操作体に与えられる操作面上での感触によって本来の押圧したい接点の位置に対応する部分に容易に誘導させることができる。その結果、確実に操作体を本来押圧したい接点の位置に対応する部分にまで移動させることができ、良好な操作性を確保することができる。
【発明の効果】
【００２１】
本発明の操作装置では、接点位置を操作体の感触で認識でき、従来に比べて操作性を良好にできる。
【発明を実施するための最良の形態】
【００２２】
図１は本発明の操作装置を示す平面図、図２は図１の２−２線での切断断面図で、本発明の第１の実施の形態を示す図、図３は本発明の第１の実施の形態の操作装置の動作説明図である。
【００２３】
図１に示すように、操作装置１０は、図示Ｘ１−Ｘ２方向（Ｘ方向，第１の方向）および図示Ｙ１−Ｙ２方向（Ｙ方向，第２の方向）に所定の寸法を有する平面形状であり、同様の平面形状で形成された弾性部材（弾性体）１１を有している。
【００２４】
図２に示すように、弾性部材１１の裏面側（図示Ｚ２側）にはメンブレンシート２０が設けられ、メンブレンシート２０には図示Ｘ方向および図示Ｙ方向に沿って、等ピッチで、複数の接点２０Ａがマトリックス状に設けられている。接点２０Ａのうち、図２に示される接点を、図示Ｘ２側から図示Ｘ１方向に向かって、順に、接点２０Ａ１，２０Ａ２，２０Ａ３，２０Ａ４，２０Ａ５，２０Ａ６とする。
【００２５】
本実施の形態の操作装置１０は、電子機器、例えばＤＶＤレコーダー等のリモコンなどに搭載され、テレビ画面に映し出された、複数のメニューからなるメニュー表示の中から所望のメニューを選択するための操作装置として用いられる。
【００２６】
操作装置１０は、前記電子機器を構成する筐体１２に組込穴１２ａが形成されて、この組込穴１２ａから弾性部材１１の表面（図示Ｚ１側の面）側に設けられた操作面１３が筐体１２の表面とほぼ同一平面となるように露出形成されている。
【００２７】
弾性部材１１は弾性変形可能な軟質な素材で形成されている。弾性部材１１の表面には弾性部材１１の表面に比べて摩擦係数の低い、低摩擦層１７が重ねて形成されている。低摩擦層１７は、操作面１３にて接点２０Ａ１〜２０Ａ６に対応する部分が削り取られ、削り取られた凹溝部１３Ａ１〜１３Ａ６からは弾性部材１１の表面が露出している。
【００２８】
弾性部材１１の裏面には補強部材１４が重ねて形成されている。補強部材１４はフィルム状に形成されたものであり、操作面１３よりも側方（ＸＹ平面方向）に突出する形状である。弾性部材１１及び操作面１３よりも外側に突出する部分が鍔部１４ａとなっている。鍔部１４ａは、弾性部材１１及び操作面１３の周囲全体に形成されている。このように鍔部１４ａが形成されていると、操作装置１０を筐体１２に取り付ける際に、筐体１２の裏側から操作装置１０が組込穴１２ａに挿入されたときに、鍔部１４ａが筐体１２の内側に形成された段差状の係止部１２ｂで係止されて、操作装置１０が筐体１２から抜け出ることが防止される。
【００２９】
補強部材１４の裏面には、半球状の突起１５Ａ１，１５Ａ２，１５Ａ３，１５Ａ４，１５Ａ５，１５Ａ６が、接点２０Ａ１〜２０Ａ６の真上に位置するように配置されている。
【００３０】
なお、補強部材１４は一枚のフィルム状のシートで形成されることには限定されず、弾性部材１１の裏面に補強部材１４が固定され、さらに突起１５Ａ１〜１５Ａ６を設けた別のフィルム状の部材を補強部材１４に固定するようにしてもよい。このときの補強部材１４と前記別のフィルム状の部材は、ＰＥＴ樹脂などの同じ樹脂を用いて形成することができる。
【００３１】
突起１５Ａ１の図示Ｘ２側の側方には支持部１６ａが形成されており、突起１５Ａ６の図示Ｘ１側の側方には支持部１６ｂが形成されている。突起１５Ａ１〜１５Ａ６及び支持部１６ａ，１６ｂは、いずれも紫外線硬化型の樹脂で印刷によって形成されている。ただし、突起１５Ａ１〜１５Ａ６及び支持部１６ａ，１６ｂは、紫外線硬化型の樹脂によって形成されることには限定されない。
【００３２】
なお、図示していないが、支持部１６ａ，１６ｂの表面には粘着性を有する粘着層が形成されて、メンブレンシート２０の表面と接着固定されている。
【００３３】
メンブレンシート２０は上側シート２１と下側シート２２とスペーサ２３からなり、上側シート２１と下側シート２２が対向して設けられている。上側シート２１と下側シート２２との間にシート状のスペーサ２３が挿入されて、互いに接着固定されている。上側シート２１と下側シート２２とスペーサ２３は、いずれもＰＥＴ樹脂やポリイミド樹脂など可撓性を有する素材で形成され、互いに接着固定されている。なお、上側シート２１と下側シート２２がＰＥＴ樹脂などで形成され、スペーサ２３が接着材からなる接着層で形成されて、互いに接着固定されたものでもよい。
【００３４】
上側シート２１と下側シート２２には、突起１５Ａ１と対向する位置に円形の上側導電部２１Ａ１と下側導電部２２Ａ１が対向して形成されている。スペーサ２３には、導電部２１Ａ１，２２Ａ１が露出する、導電部２１Ａ１，２２Ａ１よりも大きな径の貫通孔２３Ａ１が形成されている。そして、互いに対向する一対の上側導電部２１Ａ１と下側導電部２２Ａ１によって、接点２０Ａ１が形成される。
【００３５】
突起１５Ａ２〜１５Ａ６についても同様に、上側導電部２１Ａ２〜２１Ａ６と下側導電部２２Ａ２〜２２Ａ６、および貫通孔２３Ａ２〜２３Ａ６が形成されている。そして、互いに対向する一対の上側導電部と下側導電部によって、接点２０Ａ２〜２０Ａ６がそれぞれ形成される。
【００３６】
下側シート２２には、下側導電部２２Ａ１〜２２Ａ６から線状の導電パターン（図示せず）と１本の共通導電パターン（図示せず）がそれぞれ互いに重ならないように延びて形成されている。前記共通導電パターンは、下側シート２２から上側シート２１の上側導電部２１Ａ１〜２１Ａ６まで延びて形成されている。また、前記導電パターンおよび前記共通導電パターンが制御部（図示せず）まで延びて形成されている。上側導電部２１Ａ１〜２１Ａ６，下側導電部２２Ａ１〜２２Ａ６，前記導電パターンおよび前記共通導電パターンは、いずれも銅や銀などの金属材料で形成されている。
【００３７】
前記共通導電パターンに対して電流が与えられ、例えば、上側導電部２１Ａ３と下側導電部２２Ａ３とが互いに接触して、その接触により発生する電流が下側導電部２２Ａ３に形成される前記導電パターンから出力されると、前記制御部において接点２０Ａ３が押圧操作されたことが検知される。このようにして、他の接点２０Ａ１，２０Ａ２，２０Ａ４，２０Ａ５，２０Ａ６についても同様に検知できるようになっている。
【００３８】
本発明の弾性部材１１は、シリコーンゴムで形成されていることが好ましい。シリコーンゴムは、高密度ポリエチレンやポリプロピレンなどに比べて、低加重しかも局部的に撓み変形させることができる。なお、弾性部材１１は、シリコーンゴムに限定されるものではなく、その他のゴム系の弾性部材であってもよい。
【００３９】
また、上記したように、シリコーンゴムで形成された弾性部材１１の裏面にフィルム状のＰＥＴ樹脂やポリプロピレン樹脂などで形成された補強部材１４を設けることで、弾性部材１１の図示Ｚ方向（図示Ｚ１−Ｚ２方向）への撓み変形を損なわずに、撚れを防止することができる。
【００４０】
低摩擦層１７は、例えば、無機フィラー、具体的にはシリカの粒子を含有するシリコーン樹脂等である。ただし、低摩擦層１７は、上記したシリカを含有するシリコーン樹脂に限定されるものではなく、他の部材からなるものであってもよい。例えば、操作面１３上を移動させるときに必要な力が、接点２０Ａを入力するのに必要な押圧力よりも小さくできる材質であればよい。
【００４１】
次に、本発明の操作装置１０の動作について説明する。
図３に示すように、操作者が操作面１３の表面に指（操作体）Ｆを載せると、接点２０Ａ３，２０Ａ４，２０Ａ５が覆われる。このとき、接点２０Ａ４の真上に対応する凹溝部１３Ａ４を小さな加重で押し下げると、弾性部材１１が局部的に下方へ撓み変形させられる。そして、弾性部材１１の変形に伴って補強部材１４も下方へ撓み変形させられて、突起１５Ａ４のみが押し下げられる。突起１５Ａ４の下方への移動力によって、上側シート２１が下方へ撓み変形させられて、上側導電部２１Ａ４と下側導電部２２Ａ４とが互いに接触して導通し、接点２０Ａ４が入力状態になる。これにより、前記制御部において接点２０Ａ４が押圧操作されたことが検知される。
【００４２】
そして、指Ｆを、例えば図示Ｘ２方向に摺動させると、弾性部材１１が連続的に局部変形され、接点２０Ａ３→接点２０Ａ２→接点２０Ａ１という順番で各接点が順次接触させられ、次々に接点の入力状態が変化する。これにより、前記制御部において、各接点が順次押圧操作されたことが検知され、たとえば、前記メニュー表示を、前記テレビ画面中において、右方向にスクロールさせることができる。
【００４３】
同様に、指Ｆを、図示Ｘ１，Ｙ１，Ｙ２方向に移動させると、指Ｆの摺動方向に伴って接点が順次接触させられ、たとえば、前記メニュー表示を、前記テレビ画面中において、左，上，下方向にスクロールさせることができる。
【００４４】
本発明では、操作面１３のうち、接点２０Ａ１〜２０Ａ６に対応する部分の低摩擦層１７が削り取られて凹溝部１３Ａ１〜１３Ａ６が形成され、凹溝部１３Ａ１〜１３Ａ６からは低摩擦層１７よりも摩擦係数の高い弾性部材１１の表面が露出している。すなわち、凹溝部１３Ａ１〜１３Ａ６と、凹溝部１３Ａ１〜１３Ａ６が設けられていない他の部分１３Ｂの摩擦係数は異なっており、指Ｆに与えられる摩擦抵抗が異なっている。具体的には、指Ｆに与えられる摩擦抵抗は、凹溝部１３Ａ１〜１３Ａ６上を移動するときのほうが、他の部分１３Ｂを移動するときよりも大きくなる。このため、指Ｆが凹溝部１３Ａ１〜１３Ａ６上を摺動しているときと、他の部分１３Ｂ上を摺動しているときとで指Ｆに与えられる感触がかわり、指Ｆが凹溝部１３Ａ１〜１３Ａ６上を摺動している場合には、摩擦抵抗が高いため滑りにくさを感じ、一方、他の部分１３Ｂ上を摺動している場合には、摩擦抵抗が低いため滑りやすさを感じる。
【００４５】
また、本実施の形態では、接点２０Ａがマトリックス状に点在しているため、従来のように操作面１３が一律の摩擦抵抗であると、接点２０Ａの位置は前記感触では認識できない。このため、本来押圧したい接点２０Ａの位置に指Ｆを移動させるのに時間がかかり、操作性が劣る。しかし、本発明では、マトリックス状に点在した接点２０Ａに対応する部分の操作面１３の摩擦抵抗が、他の部分１３Ｂの摩擦抵抗よりも高い。このため、操作面１３上を指Ｆでなぞれば、指Ｆを、操作面１３上での感触によって本来の押圧したい接点２０Ａの位置まで容易に誘導することができる。また、各接点２０Ａ１〜２０Ａ６上に沿って直線的に指Ｆを摺動させたいとき、指Ｆを操作面１３上で移動させる場合に、指Ｆが高摩擦抵抗の凹溝部１３Ａ１〜１３Ａ６を押圧するように指Ｆを誘導させることができる。このため、凹溝部１３Ａ１〜１３Ａ６を押圧していない場合には、指Ｆに与えられる摩擦抵抗の違いを操作者が認識し、凹溝部１３Ａ１〜１３Ａ６を押圧するように指Ｆの移動方向や移動箇所を修正することができる。その結果、確実に指Ｆを凹溝部１３Ａ１〜１３Ａ６を押圧するように移動させることができ、接点２０Ａ１〜２０Ａ６が確実に押圧操作されたか否かを、指Ｆを通じて認識することができる。
【００４６】
また本発明では、弾性部材１１がシリコーンゴムで形成されているため、押圧操作したときに変形し過ぎて操作性が損なわれるおそれがあるが、補強部材１４を弾性部材１１に固定することで、弾性部材１１の変形量が適度に抑えられて、操作性が損なわれることがない。
【００４７】
さらに、上記においては、操作面１３のうち、接点２０Ａ１〜２０Ａ６に対応する部分と他の部分１３Ｂとの摩擦係数を異ならせるために、接点２０Ａ１〜２０Ａ６に対応する部分の低摩擦層１７を削り取り、凹溝部１３Ａ１〜１３Ａ６を設けている。しかし、本発明では、凹溝部１３Ａ１〜１３Ａ６の形成は、低摩擦層１７を削り取ることによって行われることには限定されず、弾性部材１１の表面の、図２に示すような位置に他の部分１３Ｂを設けて、凹溝部１３Ａ１〜１３Ａ６を形成してもよい。
【００４８】
図４は本発明の第１の実施の形態の操作装置の変形例を示す、図２と同様の切断断面図である。
【００４９】
図４において、図２に示す操作装置１０と同様の部材等には同一の符号を付し、説明を省略する。
【００５０】
本変形例の操作装置１０Ａでは、操作装置１０の場合と異なり、弾性部材１１の表面には全体的に低摩擦層１７が形成され、低摩擦層１７上の接点２０Ａ１〜２０Ａ６に対応する部分に凸部形状の高摩擦層１３ａ１〜１３ａ６が形成されている。
【００５１】
高摩擦層１３ａ１〜１３ａ６は、たとえば、弾性部材１１と同様のシリコーンゴムなどの、低摩擦層１７の摩擦係数よりも大きな摩擦係数を有する素材から形成されている。
【００５２】
本変形例においても、操作面１３のうち、高摩擦層１３ａ１〜１３ａ６の表面と、高摩擦層１３ａ１〜１３ａ６が設けられていない低摩擦層１７の表面との摩擦係数が異なっているため、指Ｆに与えられる摩擦抵抗が異なる。具体的には、指Ｆに与えられる摩擦抵抗は、高摩擦層１３ａ１〜１３ａ６上を摺動するときのほうが、低摩擦層１７上を摺動するときよりも大きくなる。このため、指Ｆが高摩擦層１３ａ１〜１３ａ６上を摺動するときと、低摩擦層１７上を摺動するときとで感触がかわり、指Ｆが高摩擦層１３ａ１〜１３ａ６上を摺動している場合には、摩擦抵抗が高いため滑りにくさを感じ、一方、低摩擦層１７上を摺動している場合には、摩擦抵抗が低いため滑りやすさを感じる。
【００５３】
図５は本発明の第２の実施の形態の操作装置を示す、図１と同様の平面図である。
図５において、図１および図２に示す操作装置１０、図４に示す操作装置１０Ａと同様の部材等には同一の符号を付し、説明を省略する。
【００５４】
本実施の形態の操作装置１０Ｂは、操作装置１０，１０Ａと異なり、図示Ｘ方向に細長い形状であり、同様の平面形状である弾性部材を有している。操作装置１０Ｂにおいては、この平面形状だけが操作装置１０，１０Ａと異なっており、断面構造や他の構造は、操作装置１０，１０Ａと同様である。また、動作も、操作装置１０，１０Ａと同様である。
操作装置１０Ｂは、たとえば、カメラ，携帯電話などのリモコンにも搭載される。
【００５５】
本実施の形態では、操作面１３のうち、接点２０Ａ１〜２０Ａ６と対向する位置には、操作装置１０，１０Ａと同様に、他の部分よりも摩擦係数の高い弾性部材１１の表面が露出する凹溝部１３Ａ１〜１３Ａ６または凸形状の高摩擦層１３ａ１〜１３ａ６が設けられる。このため、操作者が、各接点２０Ａ１〜２０Ａ６を順次接触させるために、指Ｆを操作面１３上で移動させると、操作者は摩擦抵抗の相違を指Ｆを通じて感じ取り、指Ｆが移動しており、指Ｆの位置が変化していることを確実に認識することができる。その結果、接点２０Ａ１〜２０Ａ６が確実に押圧操作された否かを、指Ｆを通じて認識することができる。
【００５６】
なお、前記凹溝部または前記高摩擦層は、全ての前記接点に対応する位置に設けられる必要はない。たとえば、図１において、前記メニュー表示の左右方向のスクロールをつかさどる第Ｍ行目に配置された前記接点に対応する部分と、前記メニュー表示の上下方向のスクロールをつかさどる第Ｎ列目に配置された前記接点に対応する部分のみに設けられていてもよい。
【００５７】
なお、上記の実施形態では、操作面のうち、接点の位置に対応する部分を、接点の位置に対応する部分以外の他の部分に比べて高い摩擦係数の材質で形成したが、逆に、操作面のうち、接点の位置に対応する部分を、前記他の部分に比べて低い摩擦係数の材質で形成してもよい。しかし、前記他の部分を低摩擦にした場合のほうが、操作面１３上で指Ｆを滑らかに摺動させることができるとともに、高い摩擦係数の材質で形成された、点在する接点の位置を認識しやすい。
【００５８】
また本発明では、指Ｆを操作面１３上で押圧したときの指Ｆの幅が接点間の間隔よりも大きい場合には、複数の接点が同時に入力状態になることがあるが、例えば３つの接点が同時に入力状態になったときには、真中の接点の入力を有効にし、他の接点の入力を無効にするなどの制御を行う等、同時入力の制御を行なうことも可能である。
【図面の簡単な説明】
【００５９】
【図１】本発明の操作装置を示す平面図、
【図２】図１の２−２線での切断断面図で、本発明の第１の実施の形態を示す図、
【図３】本発明の第１の実施の形態の操作装置の動作説明図、
【図４】本発明の第１の実施の形態の操作装置の変形例を示す、図２と同様の切断断面図、
【図５】本発明の第２の実施の形態の操作装置を示す、図１と同様の平面図、
【図６】従来の操作装置を示す切断断面図、
【図７】従来のＯＨＰ投影型電卓のキーシート部分を示す切断断面図
【符号の説明】
【００６０】
１０，１０Ａ，１０Ｂ  操作装置
１１  弾性部材
１２  筐体
１３  操作面
１３Ａ１，１３Ａ２，１３Ａ３，１３Ａ４，１３Ａ５，１３Ａ６  凹溝部
１３ａ１，１３ａ２，１３ａ３，１３ａ４，１３ａ５，１３ａ６  高摩擦層
１４  補強部材
１５Ａ１，１５Ａ２，１５Ａ３，１５Ａ４，１５Ａ５，１５Ａ６  突起
１７  低摩擦層
２０  メンブレンシート
２０Ａ１，２０Ａ２，２０Ａ３，２０Ａ４，２０Ａ５，２０Ａ６  接点
２１  上側シート
２１Ａ１，２１Ａ２，２１Ａ３，２１Ａ４，２１Ａ５，２１Ａ６  上側導電部
２２  下側シート
２２Ａ１，２２Ａ２，２２Ａ３，２２Ａ４，２２Ａ５，２２Ａ６  下側導電部
２３  スペーサ
【図１】
2006092814.tif 000003
【図２】
2006092814.tif 000004
【図３】
2006092814.tif 000005
【図４】
2006092814.tif 000006
【図５】
2006092814.tif 000007
【図６】
2006092814.tif 000008
【図７】
2006092814.tif 000009